(57)【特許請求の範囲】
【請求項１】
トラフ上に供給される物品を振動によって搬送する振動フィーダであって、
前記トラフは、前記物品の搬送方向に延びる底板および一対の側壁から構成され、
前記底板は、水平面に対して所定角度下方に傾斜し、
前記一対の側壁は、前記底板の一端部に立設される第１側壁と、前記底板の他端部に立設されるとともに、隣接する前記トラフの前記第１側壁を覆う第２側壁とから構成され、
前記第２側壁は、前記第１側壁の外方を覆う第１側面と、前記第１側壁の上方を覆う上面と、前記第１側壁の内方を覆う第２側面とを有し、
前記上面は、前記底板の搬送上流側端部から中間部に位置する第１上面部位と、前記底板の前記中間部から搬送下流側端部に位置する第２上面部位とを有し、
前記第１上面部位は、前記底板に対して略平行に設けられ、
前記第２上面部位は、前記搬送下流側端部に向けて末広がり形状に形成されるとともに、前記水平面に対して略水平に設けられる、
振動フィーダ。
【請求項２】
前記底板は、前記搬送下流側端部から下方に向けて所定角度屈曲する終端案内部を有する
請求項１に記載の振動フィーダ。
【請求項３】
前記第１側壁は、前記搬送下流側端部から前記搬送方向に突出する第１突出部を有し、
前記第２側壁は、前記搬送下流側端部から前記搬送方向に突出する第２突出部を有し、
前記第１突出部の下端部および前記第２突出部の下端部は、前記終端案内部の下端部と略同一の水平面上に位置する
請求項２に記載の振動フィーダ。
【請求項４】
前記第２側壁上における前記物品の前記搬送方向への移動を規制する第１規制部材を備え、
前記第１規制部材は、前記第２側壁の搬送下流側端部に立設されるとともに、少なくとも前記第２上面部位に配置される、
請求項１〜３のいずれか一項に記載の振動フィーダ。
【請求項５】
前記搬送下流側端部における前記物品の前記搬送方向への移動を規制する第２規制部材を備え、
前記第２規制部材は、前記搬送下流側端部から前記搬送方向に所定距離隔てて配置されるとともに、前記第１側壁と前記第２側壁とにまたがって設けられる、
請求項１〜４のいずれか一項に記載の振動フィーダ。
【請求項６】
トラフ上に供給される物品を振動によって搬送する複数の振動フィーダと、前記複数の振動フィーダの下流に併設された複数の供給ホッパと、前記複数の供給ホッパの下流に併設された複数の計量ホッパとを備え、前記複数の計量ホッパにより計量された計量値を組合せる組合せ秤であって、
前記振動フィーダは、請求項１〜５のいずれか一項に記載の振動フィーダから構成される、
組合せ秤。
【請求項７】
トラフ上に供給される物品を振動によって搬送する複数の振動フィーダと、前記複数の振動フィーダの下流に併設された複数の供給ホッパと、前記複数の供給ホッパの下流に併設された複数の計量ホッパとを備え、前記複数の計量ホッパにより計量された計量値を組合せる組合せ秤であって、
前記搬送下流側端部を越えて前記搬送方向に移動する前記物品の移動を規制する第３規制部材を備え、
前記振動フィーダは、請求項１〜４のいずれか一項に記載の振動フィーダから構成され、
前記第３規制部材は、前記搬送下流側端部から前記搬送方向に所定距離隔てて配置されるとともに、前記供給ホッパの上端開口部の外方側端縁部に立設される、
組合せ秤。
【発明の詳細な説明】
【技術分野】
【０００１】
本発明は、トラフ上に供給される物品を振動によって搬送する振動フィーダ、及び、これを備えた組合せ秤に関する。
【背景技術】
【０００２】
後掲の特許文献１は、上記組合せ秤の一例を開示している。特許文献１に記載の組合せ演算式自動秤量装置（組合せ秤）において、中心上方から供給された被計量物である物品は、分散テーブルによって放射状に分散搬送された後、分散テーブルの周囲に配置した複数の供給トラフに移載され更に外方に振動搬送される。
【０００３】
供給トラフの先端部（搬送下流側端部）に搬送された物品は、各供給トラフに対応して配置したプールホッパーに投入され、その後、プールホッパーからその下方の計量ホッパーに供給される。
【０００４】
組合せ演算式自動秤量装置では、各計量ホッパーに供給された物品の重量が計測された後、物品の重量が所定の重量範囲内となる組合せの複数の計量ホッパーが選択される。そして、これら選択した計量ホッパーからの物品は、集合シュートにより装置中心に集合案内されて、下方に排出される。
【先行技術文献】
【特許文献】
【０００５】
【特許文献１】実開昭６３−２００１３０号公報
【発明の概要】
【発明が解決しようとする課題】
【０００６】
上記供給トラフにおいては、一方の側壁は、底板に対して垂直に設けられており、前側（搬送下流側）２／３の部分において、山形状に形成されて上方に突出する部位を有する。他方の側壁の前側（搬送下流側）２／３は、山形状に形成されており、底板に対して垂直に設けられる下半部分と、当該下半部分に対して外方へ所定角度傾斜する上半部分とを有する。また、他方の側壁の後側（搬送上流側）１／３は、隣接する供給トラフの一方の側壁の後側１／３を非接触な状態でオーバラップするように形成されている。
【０００７】
このため、物品が、例えば、モヤシやカイワレ大根などの細長くて絡みやすい物品である場合、分散テーブルから供給トラフに移載される際に、物品の一部が側壁に跨って絡み付きやすく、搬送の停滞を生じることがある。
【０００８】
また、細長い物品が側壁に跨って絡み付いたまま搬送されると、側壁の前側（搬送下流側）における立ち上がり傾斜部位の始端部において、搬送方向への移動が規制される（大きい搬送抵抗を受ける）ため、物品同士の絡まりによる塊が生じ易い。
【０００９】
このように、細長くて絡みやすい物品が塊となってトラフに停滞すると、計量ホッパーへの物品の供給が円滑に行われなくなるため、計量処理能力および計量精度が低下するおそれがある。
【００１０】
本発明は、上記課題を解決するため、物品の種類や形状などを問わず、搬送途中における物品の滞留を抑制できる振動フィーダ及びこれを備えた組合せ秤を提供することを目的とする。
【課題を解決するための手段】
【００１１】
請求項１に記載の発明は、トラフ上に供給される物品を振動によって搬送する振動フィーダであって、トラフは、物品の搬送方向に延びる底板および一対の側壁から構成され、底板は、水平面に対して所定角度下方に傾斜し、一対の側壁は、底板の一端部に立設される第１側壁と、底板の他端部に立設されるとともに、隣接するトラフの第１側壁を覆う第２側壁とから構成され、第２側壁は、第１側壁の外方を覆う第１側面と、第１側壁の上方を覆う上面と、第１側壁の内方を覆う第２側面とを有し、上面は、底板の搬送上流側端部から中間部に位置する第１上面部位と、底板の中間部から搬送下流側端部に位置する第２上面部位とを有し、第１上面部位は、底板に対して略平行に設けられ、第２上面部位は、搬送下流側端部に向けて末広がり形状に形成されるとともに、水平面に対して略水平に設けられることを要旨とする。
【００１２】
上記構成によれば、第２側壁の上面は、水平面に対して上方に傾斜する部分を有しない。このため、トラフ上に供給された物品の一部が第２側壁にまたがった状態で搬送されるとき、物品同士の絡まりによる塊の発生に起因した搬送途中における当該物品の滞留を抑制できる。
【００１３】
また、第２側壁上に物品が集中した場合においても、末広がり形状に形成された第２上面部位において、集中した物品の各々に対する振動の伝達率が向上する。このため、物品の集中を振動によって解すことができるとともに、当該物品を第２側壁の第１側面および第２側面のいずれかに沿って移動させた後、当該第２側壁を挟んで隣接する２つのトラフのいずれかに振分けることができる。
【００１４】
請求項２に記載の発明は、請求項１に記載の振動フィーダにおいて、底板は、搬送下流側端部から下方に向けて所定角度屈曲する終端案内部を有することを要旨とする。
【００１５】
上記構成によれば、搬送下流側端部に搬送された物品は、終端案内部に沿って振動フィーダよりもさらに下流側に排出される。このため、物品の排出時において当該物品が底板の裏面に回り込むことを抑制できる。
【００１６】
請求項３に記載の発明は、請求項２に記載の振動フィーダにおいて、第１側壁は、搬送下流側端部から搬送方向に突出する第１突出部を有し、第２側壁は、搬送下流側端部から搬送方向に突出する第２突出部を有し、第１突出部の下端部および第２突出部の下端部は、終端案内部の下端部と略同一の水平面上に位置することを要旨とする。
【００１７】
上記構成によれば、終端案内部の下端部と第１突出部の下端部と第２突出部の下端部とにより、搬送下流側端部に搬送された物品の排出路が形成される。このため、物品の排出時において当該物品が拡散排出されることを抑制できる。
【００１８】
請求項４に記載の発明は、請求項１〜３のいずれか一項に記載の振動フィーダにおいて、第２側壁上における物品の搬送方向への移動を規制する第１規制部材を備え、第１規制部材は、第２側壁の搬送下流側端部に立設されるとともに、少なくとも第２上面部位に配置されることを要旨とする。
【００１９】
上記構成によれば、第１規制部材により搬送方向への移動を規制された物品は、第２側壁を介して伝達される振動により、第２側壁の第１側面および第２側面のいずれかに沿って移動する。このため、第２側壁の搬送下流側端部に到達した物品を、当該第２側壁を挟んで隣接する２つのトラフのいずれかに振り分けることができる。
【００２０】
請求項５に記載の発明は、請求項１〜４のいずれか一項に記載の振動フィーダにおいて、搬送下流側端部における物品の搬送方向への移動を規制する第２規制部材を備え、第２規制部材は、搬送下流側端部から搬送方向に所定距離隔てて配置されるとともに、第１側壁と第２側壁とにまたがって設けられることを要旨とする。
【００２１】
上記構成によれば、搬送下流側端部と第２規制部材とにより、搬送下流側端部に搬送された物品の排出口が形成される。このため、物品の排出時において当該物品が拡散排出されることを抑制できる。
【００２２】
請求項６に記載の発明は、トラフ上に供給される物品を振動によって搬送する複数の振動フィーダと、複数の振動フィーダの下流に併設された複数の供給ホッパと、複数の供給ホッパの下流に併設された複数の計量ホッパとを備え、複数の計量ホッパにより計量された計量値を組合せる組合せ秤であって、振動フィーダは、請求項１〜５のいずれか一項に記載の振動フィーダから構成されることを要旨とする。
【００２３】
上記構成によれば、物品の種類や形状などを問わず、搬送途中における物品の滞留を抑制できるため、当該物品を供給ホッパから計量ホッパへと円滑に搬送して投入することができる。このため、計量処理能力および計量精度の高い計量を行うことができる。
【００２４】
請求項７に記載の発明は、トラフ上に供給される物品を振動によって搬送する複数の振動フィーダと、複数の振動フィーダの下流に併設された複数の供給ホッパと、複数の供給ホッパの下流に併設された複数の計量ホッパとを備え、複数の計量ホッパにより計量された計量値を組合せる組合せ秤であって、搬送下流側端部を越えて搬送方向に移動する物品の移動を規制する第３規制部材を備え、振動フィーダは、請求項１〜４のいずれか一項に記載の振動フィーダから構成され、第３規制部材は、搬送下流側端部から搬送方向に所定距離隔てて配置されるとともに、供給ホッパの上端開口部の外方側端縁部に立設されることを要旨とする。
【００２５】
上記構成によれば、振動フィーダのトラフの底板上を搬送されてきた物品は、供給ホッパの上端開口部の外方側端縁部に立設された第３規制部材に受け止められ、供給ホッパの外方へこぼれ出ることなく供給ホッパ内に投入される。また、供給ホッパ自体に、物品を受け止める第３規制部材を設けるため、振動フィーダのトラフに第３規制部材を設ける場合と比較して、当該トラフの軽量化を図ることができ、以って、トラフの振動搬送能力を高い状態に維持できる。
【発明の効果】
【００２６】
本発明によれば、物品の種類や形状などを問わず、搬送途中における物品の滞留を抑制することができる。
【図面の簡単な説明】
【００２７】
【図１】本発明の一実施形態の組合せ秤の一部を縦断した正面図である。
【図２】図１の要部の斜視図である。
【図３】図２の平面図である。
【図４】図３におけるＡ−Ａ断面図である。
【図５】図３におけるＢ−Ｂ断面図である。
【図６】図１のトラフの斜視図である。
【図７】図６のトラフの平面図である。
【図８】図６のトラフの側面図である。
【図９】図６のトラフの正面図である。
【図１０】図７におけるＣ−Ｃ断面図である。
【図１１】図７におけるＤ−Ｄ断面図である。
【図１２】他の実施形態のトラフの斜視図である。
【図１３】図１２のトラフの縦断側面図である。
【発明を実施するための形態】
【００２８】
（第１実施形態）
以下、本発明の実施形態につき、図面を参照しながら説明する。以下の図では、同一部分または対応する部分に同一符号を付してある。
【００２９】
図１〜図３を参照して、本発明の実施形態である組合せ秤１００の概略構成について説明する。
【００３０】
組合せ秤１００は、例えば菓子類などの物品（図示省略）を所定量ずつ計量するものであって、計量された物品を下方に設置した包装機（図示省略）に投入して袋詰めするものである。
【００３１】
図１に示されるように、組合せ秤１００の中央には、多角柱形のセンター基体１が配置されている。センター基体１は、複数本の脚３を介して基台２に支持されている。基台２は、中央部が大きく上下に貫通開口された中空構造を有する。
【００３２】
センター基体１の上部には、分散フィーダ５が設けられている。この分散フィーダ５は、供給装置４の終端から落下供給される物品を振動によって放射状に分散させる役割を有する。
【００３３】
分散フィーダ５は、円錐形のトップコーン１２と、当該トップコーン１２を振動駆動する電磁式の加振機構１３とから構成されている。加振機構１３は、センター基体１内の支持フレーム１４に搭載されている。トップコーン１２は、加振機構１３に対して脱着可能に支持されている。
【００３４】
図２および図３に示されるように、分散フィーダ５の周囲には、多数の直進フィーダ６が放射状に設けられている。直進フィーダ６は、分散移送された物品を振動によって外方に向けて搬送する役割を有する。なお、直進フィーダ６は、本発明における「振動フィーダ」に相当する。
【００３５】
直進フィーダ６は、内外方向に向かう樋状に形成されたトラフ（フィーダパン）１５と、当該トラフ１５を振動駆動する電磁式の加振機構１６とから構成されている。
【００３６】
図１に示されるように、加振機構１６は、分散フィーダ５の加振機構１３をとり囲むように支持フレーム１４に搭載されている。トラフ１５の下方に備えたバックル式の操作レバー１７（図８参照）を上下に揺動操作することにより、加振機構１６の上端部にトラフ１５がワンタッチで脱着される。
【００３７】
直進フィーダ６の終端（搬送下流側端部）下方には、供給ホッパ７、及び、計量ホッパ８がそれぞれ対応して設けられている。これら直進フィーダ６、供給ホッパ７、及び、計量ホッパ８を一連とする多数連（８連〜２４連）の計量モジュールが、センター基体１の周囲に円状に配備されている。
【００３８】
円状に配列された各計量ホッパ８の下方には、集合シュート９が配置されている。集合シュート９は、所定の重量となるように組合せ選択された複数の計量ホッパ８から排出された物品を集める役割を有する。
【００３９】
集合シュート９の下方には、漏斗状の集合ファネル１０が配置されている。集合ファネル１０は、集合シュート９から滑落した物品を集める役割を有する。
【００４０】
集合ファネル１０の下方には、集合ホッパ１１が配置されている。集合ホッパ１１は、集合ファネル１０に沿って案内されてきた物品を一旦受け止め貯留した後、包装機側からの排出要求指令に基づいて開放作動する役割を有する。
【００４１】
なお、図示していないが、供給ホッパ７及び計量ホッパ８のゲート開閉装置等の駆動ユニットがセンター基体１内に収納されている。また、各計量ホッパ８には、計量ホッパ８内の被計量物の重量を計測する重量センサ（例えば、ロードセルなど）が備えられ、この重量センサもセンター基体１の内部に上記駆動ユニットと共に収納されている。
【００４２】
図３〜図１１を参照して、トラフ１５の構造について説明する。
【００４３】
なお、以降の説明において、構造の理解を容易にするために、分散フィーダ５の存在側を内方（内側）、物品の搬送方向の下流側を外方（外側）と呼称する。
【００４４】
図３などに示されるように、トラフ１５は、物品の搬送方向に延びる底板２１および一対の側壁（第１側壁２２，第２側壁２３）から構成されており、浅い樋状に形成されている。
【００４５】
図５および図８に示されるように、底板２１は、平面視において搬送下流側端部に向けて末広がる形状に形成されており、水平面に対して所定角度下方に傾斜している。具体的には、底板２１は、トップコーン１２の傾斜角度よりも緩い角度で搬送下流側に向けて下方に傾斜している。
【００４６】
また、底板２１は、下方に向けて２段に屈曲する傾斜案内部２１ａと終端案内部２１ｂとを搬送下流側に有する。傾斜案内部２１ａは、底板２１の傾斜角度よりも大きい急角度で下方に傾斜するように構成されている。なお、傾斜案内部２１ａは、本発明における「底板の搬送下流側端部」に相当する。終端案内部２１ｂは、傾斜案内部２１ａから下方に向けてさらに所定角度屈曲するように構成されている。本実施形態において、終端案内部２１ｂは、傾斜案内部２１ａから略鉛直方向に延びる。
【００４７】
なお、終端案内部２１ｂの中央箇所には、操作レバー１７に臨む切欠き２４が形成され、作業者によるレバー操作が容易に行えるようになっている。
【００４８】
第１側壁２２は、底板２１の短手方向の一端部に立設されており、全体的に平板で形成されている。また、第１側壁２２は、底板２１の短手方向の一端部から隣接するトラフ１５に向けて所定角度傾斜している（図４参照）。さらに、第１側壁２２は、底板２１の搬送下流側端部から搬送方向に突出する第１突出部２２ａを有する。第１突出部２２ａの下端の高さは、終端案内部２１ｂの下端の高さに揃えられている。
【００４９】
第２側壁２３は、底板２１の短手方向の他端部に立設されている。この第２側壁２３は、平板を山折りに屈折した山形断面形状に形成されており、隣接するトラフ１５の第１側壁を全長に亘って覆う。
【００５０】
また、第２側壁２３は、底板２１の搬送下流側端部から搬送方向に突出する第２突出部２３ａを有する。第２突出部２３ａの下端の高さは、終端案内部２１ｂの下端の高さに揃えられている。
【００５１】
ここで、第２側壁２３は、第１側壁２２の外方を覆う第１側面２３ｅと、第１側壁２２の上方を覆う上面２３ｆと、第１側壁２２の内方を覆う第２側面２３ｇとを有する。
【００５２】
第１側面２３ｅは、底板２１の短手方向の一端部から隣接するトラフ１５に向けて所定角度傾斜している（図４参照）。第１側面２３ｅの高さ寸法は、第１側壁２２の高さ寸法よりも大きく設定されている。
【００５３】
上面２３ｆは、第１側壁２２に覆い被さるに足る横幅を有する。また、上面２３ｆは、底板２１の搬送上流側端部から中間部に位置する第１上面部位２３ｐと、底板２１の中間部から搬送下流側端部に位置する第２上面部位２３ｑとを有する。
【００５４】
第１上面部位２３ｐは、底板２１に対して略平行に設けられている。このため、第１上面部位２３ｐは、底板２１と同様に、トップコーン１２の傾斜角度よりも緩い角度で搬送下流側に向けて下方に傾斜している。
【００５５】
第２上面部位２３ｑは、平面視において搬送下流側端部に向けて横幅が大きくなる末広がり形状に形成されるとともに、水平面に対して略水平に設けられている。
【００５６】
具体的には、隣接する第１側壁２２を挟んで当該第１側壁２２の外方に位置する第２上面部位２３ｑは、隣接する第１側壁２２を挟んで当該第１側壁２２の内方に位置する第２上面部位２３ｑよりも大きな末広がり形状を有する。
【００５７】
第２側面２３ｇは、上面２３ｆの端部から隣接するトラフ１５に向けて所定角度傾斜している（図４参照）。詳しくは、第２側面２３ｇは、隣接する第１側壁２２に対して略平行となる角度で設けられている。また、第２側面２３ｇの高さ寸法は、隣接するトラフ１５の底板２１に接触しない大きさに設定されている。
【００５８】
トラフ１５の下面には、加振機構１６への連結部材や操作レバー１７を装着した支持ブラケット２５が連結されている。
【００５９】
第２上面部位２３ｑおよび当該第２上面部位２３ｑと連なる第１側面２３ｅおよび第２側面２３ｇの裏面には、山形断面形状を保持するための補強リブ２６が幅方向に沿って設けられている。
【００６０】
第２側壁２３の搬送下流側端部には物品受け止め用の縦リブ２７が立設されている。詳しくは、縦リブ２７は、第２上面部位２３ｑおよび第２側面２３ｇに配置されている。なお、縦リブ２７は、本発明における「第１規制部材」に相当する。
【００６１】
以上のように構成されたトラフ１５を加振機構１６に連結した状態では、図５に示すように、底板２１の終端案内部２１ｂと、第１側壁２２の第１突出部２２ａ及び第２側壁の第２突出部２３ａが、供給ホッパ７における上端開口部に少し入り込むとともに、第１側壁２２及び第２側壁２３の外端が供給ホッパ７における上端開口部の外側端部よりも手前に位置している。また、供給ホッパ７における上端開口部の外方側の端縁には、トラフ１５よりも上方に位置する上端部を有する縦壁部７ａが立設されている。なお、縦壁部７ａは、本発明における「第３規制部材」に相当する。
【００６２】
（実施形態の効果）
本実施形態によると、物品が、例えば、モヤシやカイワレ大根などの細長くて絡みやすいような物品である場合、分散フィーダ５のトップコーン１２から直進フィーダ６のトラフ１５に移載された物品の一部が第２側壁２３に跨ることがあるが、第２側壁２３の搬送上流側部分である第１上面部位２３ｐは横幅が比較的小さく、かつ、底板２１からの高さが搬送下流側（第２上面部位２３ｑ）部分よりも低いものとなっているので、第２側壁２３の第１上面部位２３ｐに跨った細長い物品の一端部あるいは両端部が、一方の底板２１、あるいは、この第２側壁２３の両横に位置する二つの底板２１に接触する状態となり、トラフ１５からの振動を確実に受けて外方へ送られ、この振動搬送の間に物品の一部は横方向にも振分けられる。
【００６３】
また、第２側壁２３は、搬送方向に沿って下方へ傾斜した第１上面部位２３ｐと、水平面に対して略水平に設けられた第２上面部位２３ｑとからなり、側壁が、搬送方向の途中から上方へ立ち上がる従来例（上記特許文献１）のように、立ち上がり傾斜部位の始端部で大きい搬送抵抗を受けるといったこともなく、物品が停滞するのを抑制することができる。
【００６４】
底板２１に載置され外方に向けて振動搬送された物品は、底板２１の終端部から供給ホッパ７の内部に投入されることになるが、底板２１の終端部には、傾斜案内部２１ａと略鉛直の終端案内部２１ｂが屈折形成されているので、細長く絡みやすい物品でも底板終端部に引っ掛かって停滞したり、終端下方に回り込んで集合シュート９に直接落下したり、供給ホッパ７の内側開口縁に引っ掛かるようなことはない。
【００６５】
底板２１の終端部に至った物品は、供給ホッパ７の開口端に入り込む終端案内部２１ｂ、第１側壁２２の第１突出部２２ａ、及び、第２側壁２３の第２突出部２３ａで三方から囲まれた状態で案内排出されるので、供給ホッパ７の開口端に引っ掛かることなく円滑に供給ホッパ７に投入される。
【００６６】
また、底板２１上を搬送されてきた物品は、供給ホッパ７の外方側の端縁に立設された縦壁部７ａに受け止められ、外方へこぼれ出ることなく供給ホッパ７内に落ち込んでゆく。
【００６７】
第２側壁２３に跨ったままで振動搬送された物品が、末広がりの第２上面部位２３ｑに至ると、その横幅が次第に大きくなることで、跨った物品と第２上面部位２３ｑとの接触部位が増加して、物品へ振動が効果的に伝達されることになり、第２上面部位２３ｑに跨った物品が絡まって塊となっても、その塊を振動で解すことができると共に、第２側壁２３の形状に沿って当該第２側壁を挟んで隣接する２つのトラフ１５に振分けることができる。また、第２上面部位２３ｑは、第１上面部位２３ｐのように下方へ傾斜していないので、この第２上面部位２３ｑを物品が搬送される期間を確保して、その間に物品に十分に振動を加えて絡みついた物品を解すことができる。
【００６８】
また、左右に振分けられることなく第２側壁２３の終端まで搬送された物品は、縦リブ２７で受け止められてそれ以上の外方への移動が阻止され、振動を受けている間に第２側壁を挟んで隣接する２つのトラフ１５に振分けられてゆく。
【００６９】
（その他の実施形態）
本発明は、以下のような形態で実施することもできる。
【００７０】
（１）図１２，図１３に示すように、トラフ１５における第１側壁２２及び第２側壁２３の延出端同士を、第２規制部材としての縦壁部２８で連結し、底板２１の終端部外方に、第１側壁２２の第１突出部２２ａ、第２側壁２３の第２突出部２３ａ、及び、前記縦壁部２８で囲まれた矩形の排出口を形成する形態で実施することもできる。この構成によると、縦壁部７ａを備えない各種仕様の供給ホッパにも対応することができる。
【００７１】
（２）上記実施形態では、底板２１の終端部に傾斜案内部２１ａと終端案内部２１ｂとを２段折りに形成しているが、傾斜案内部２１ａを省略して終端案内部２１ｂのみを略鉛直下方に屈折形成してもよい。
【符号の説明】
【００７２】
５            分散フィーダ
６            直進フィーダ（振動フィーダ）
７            供給ホッパ
７ａ          縦壁部（第３規制部材）
８            計量ホッパ
１２          トップコーン
１５          トラフ
２１          底板
２１ｂ        終端案内部
２２          第１側壁
２２ａ        第１突出部
２３          第２側壁
２３ａ        第２突出部
２３ｅ        第１側面
２３ｆ        上面
２３ｇ        第２側面
２３ｐ        第１上面部位
２３ｑ        第２上面部位
２７          縦リブ（第１規制部材）
２８          縦壁部（第２規制部材）
【図１】
0006052797.tif 000002
【図２】
0006052797.tif 000003
【図３】
0006052797.tif 000004
【図４】
0006052797.tif 000005
【図５】
0006052797.tif 000006
【図６】
0006052797.tif 000007
【図７】
0006052797.tif 000008
【図８】
0006052797.tif 000009
【図９】
0006052797.tif 000010
【図１０】
0006052797.tif 000011
【図１１】
0006052797.tif 000012
【図１２】
0006052797.tif 000013
【図１３】
0006052797.tif 000014